(57)【要約】  無線端末（３０）が、第１のネットワーク（２２−１）および第２のネットワーク（２２−１、２２−３）と通信可能であり、第１のネットワーク（２２−１）はＬＴＥネットワークである。無線端末の方法では、無線端末（３０）が、（第２のネットワークとの回線交換の呼への参加を要求する前に）第１のネットワークおよび第２のネットワークの各々のそれぞれ選択されたセル上に陣取ることで、第１のネットワークの選択されたセルおよび第２のネットワークの選択されたセルの両者へとチューンする。無線端末（３０）は、第２のネットワークの選択されたセル上にすでに陣取っていることに鑑み、回線交換の呼への参加の要求と第２のネットワークとの回線交換の呼の実際の確立との間の時間間隔において、第２のネットワークのセルに関する測定を行なわない。
2013514704.tif 000002
【特許請求の範囲】
【請求項１】
ロングタームエボリューション（ＬＴＥ）ネットワークである第１のネットワーク（２２−１）および第２のネットワーク（２２−１、２２−３）との通信能を有する無線端末（３０）を動作させる方法であって、
前記第２のネットワーク（２２−１、２２−３）との回線交換の呼への参加を要求する前に、当該無線端末（３０）が、前記第１のネットワーク（２２−１）および前記第２のネットワーク（２２−１、２２−３）の各々のそれぞれ選択されたセル上に陣取ることで、前記第１のネットワーク（２２−１）の前記選択されたセルと前記第２のネットワーク（２２−１、２２−３）の前記選択されたセルの両者へとチューンするステップと、
前記第２のネットワーク（２２−１、２２−３）による前記回線交換の呼への参加を要求するステップと、
前記第２のネットワーク（２２−１、２２−３）の前記選択されたセル上にすでに陣取っていることに鑑みて、前記第２のネットワーク（２２−１、２２−３）との前記回線交換の呼を確立することを、前記回線交換の呼への前記参加の要求をするステップと前記第２のネットワーク（２２−１、２２−３）との前記回線交換の呼の確立との間の時間間隔において、前記第２のネットワーク（２２−１、２２−３）のセルに関する測定を行なうことなく行なうステップと
を特徴とする方法。
【請求項２】
回線交換の呼への前記参加の要求が、該回線交換の呼の確立の要求または該回線交換の呼への呼び出しに対する応答のいずれかを含む、請求項１に記載の方法。
【請求項３】
前記第２のネットワーク（２２−１、２２−３）の前記選択されたセル上への陣取りにおいて、前記無線端末（３０）が、前記第２のネットワーク（２２−１、２２−３）の前記選択されたセルを、該無線端末（３０）にとって前記第２のネットワーク（２２−１、２２−３）のうちの最良のセルとなるように決定しており、かつ前記第２のネットワーク（２２−１、２２−３）のシステム情報を取得している、請求項１に記載の方法。
【請求項４】
前記陣取りと併せて、前記無線端末（３０）が、前記第１のネットワーク（２２−１）と前記第２のネットワーク（２２−１、２２−３）の両方を同時にリッスンすることで、前記第２のネットワーク（２２−１、２２−３）のセルについての測定を前記第１のネットワーク（２２−１）に向けた活動と同時に実行するステップをさらに含む、請求項１に記載の方法。
【請求項５】
前記陣取りと併せて、前記無線端末（３０）が、前記第１のネットワーク（２２−１）による送信の合間に前記第２のネットワーク（２２−１、２２−３）のセルについての測定を実行するステップをさらに含む、請求項１に記載の方法。
【請求項６】
前記無線端末（３０）が、前記第１のネットワーク（２２−１）のセルと前記第２のネットワーク（２２−１、２２−３）のセルの両方の上に陣取ることができる旨を、モビリティマネジメントエンティティ（ＭＭＥ）に通知するステップをさらに含む、請求項１に記載の方法。
【請求項７】
前記無線端末（３０）が、前記第２のネットワーク（２２−１、２２−３）との前記回線交換の呼の実際の確立に先立って、無線リソース制御（ＲＲＣ）接続解放および／またはセル変更オーダおよび／またはパケット交換ハンドオーバを実行するステップをさらに含む、請求項１に記載の方法。
【請求項８】
前記第２のネットワーク（２２−１、２２−３）との前記回線交換の呼の前記実際の確立の後で、前記無線端末（３０）が、前記回線交換の呼の送信とパケット交換セッションとを多重化させることによって、前記第１のネットワーク（２２−１）との前記パケット交換セッションを維持および／または開始するステップをさらに含む、請求項１に記載の方法。
【請求項９】
ＬＴＥネットワークである第１のネットワーク（２２−１）および第２のネットワーク（２２−１、２２−３）との通信能を有する無線端末（３０）であって、
前記第２のネットワーク（２２−１、２２−３）との回線交換の呼への参加を要求する前に、前記第１のネットワーク（２２−１）および前記第２のネットワーク（２２−１、２２−３）の各々のそれぞれ選択されたセル上に陣取ることで、前記第１のネットワーク（２２−１）の前記選択されたセルと前記第２のネットワーク（２２−１、２２−３）の前記選択されたセルの両者へとチューンし、
前記第２のネットワーク（２２−１、２２−３）により前記回線交換の呼への参加を要求し、
前記第２のネットワーク（２２−１、２２−３）の前記選択されたセル上にすでに陣取っていることに鑑みて、前記第２のネットワーク（２２−１、２２−３）との前記回線交換の呼の確立を、前記回線交換の呼への前記参加の要求をするステップと前記第２のネットワーク（２２−１、２２−３）との前記回線交換の呼の確立との間の時間間隔において、前記第２のネットワーク（２２−１、２２−３）のセルに関する測定を行なうことなく行なうように構成されていることを特徴とする無線端末（３０）。
【請求項１０】
当該無線端末（３０）が無線インターフェイスを介して第１の無線アクセス技術のネットワークおよび第２の無線アクセス技術と通信することを可能にするように構成された通信インターフェイス（４０）と、
当該無線端末（３０）が前記第２のネットワーク（２２−１、２２−３）との回線交換の呼への参加の要求を行なう前に、前記第１のネットワーク（２２−１）の前記選択されたセルと前記第２のネットワーク（２２−１、２２−３）の前記選択されたセルの両者へとチューンするように構成されたデュアル陣取りユニット（４２）と
を備えている、請求項９に記載の無線端末。
【請求項１１】
回線交換の呼の確立の要求または前記回線交換の呼への呼び出しに対する応答のいずれかを生成することによって前記回線交換の呼への参加を要求するように構成された回線交換呼マネージャ（５０）をさらに備えている、請求項１０に記載の無線端末。
【請求項１２】
前記通信インターフェイス（４０）が、前記第１のネットワーク（２２−１）と前記第２のネットワーク（２２−１、２２−３）の両方を同時にリッスンするように構成されており、当該無線端末（３０）が、前記第１のネットワーク（２２−１）に向けた活動と同時に前記第２のネットワーク（２２−１、２２−３）のセルについての測定を実行するように構成された測定ユニットをさらに備えている、請求項１０に記載の無線端末。
【請求項１３】
前記第１のネットワーク（２２−１）による送信の合間に前記第２のネットワーク（２２−１、２２−３）のセルについての測定を実行するように構成された測定ユニット（５２）をさらに備えている、請求項１０に記載の無線端末。
【請求項１４】
当該無線端末（３０）が前記第１のネットワーク（２２−１）のセルと前記第２のネットワーク（２２−１、２２−３）のセルの両方の上に陣取ることができる旨をモビリティマネジメントエンティティ（ＭＭＥ）に通知する通知メッセージを生成するように構成されたデュアル陣取り通知部（５４）をさらに備えている、請求項１０に記載の無線端末。
【請求項１５】
前記第２のネットワーク（２２−１、２２−３）との前記回線交換の呼の前記実際の確立の後で、前記回線交換の呼の送信とパケット交換セッションとを多重化させることによって、前記第１のネットワーク（２２−１）とのパケット交換セッションを維持および／または開始するように構成されたパケット交換セッションマネージャ（５６）をさらに備えている、請求項１０に記載の無線端末。
【請求項１６】
無線インターフェイスを介して無線端末（３０）と通信するロングタームエボリューション（ＬＴＥ）ネットワークである第１のネットワーク（２２−１）の基地局ノード（２８）を動作させる方法であって、
前記無線端末（３０）が前記第１のネットワーク（２２−１）のセルと前記第２のネットワーク（２２−１、２２−３）のセルの両方の上に陣取ることができる旨、および前記無線端末（３０）がしたがって前記第１のネットワーク（２２−１）の選択されたセルと前記第２のネットワーク（２２−１、２２−３）の選択されたセルの両者へとチューン可能である旨の知らせを受信するステップと、
前記無線端末（３０）からの前記第２のネットワーク（２２−１、２２−３）との回線交換の呼への参加の要求を受信するステップと、
前記無線端末（３０）が前記第１のネットワーク（２２−１）のセルと前記第２のネットワーク（２２−１、２２−３）のセルの両方の上に陣取ることができる旨の前記知らせに応答して、前記回線交換の呼への前記参加の要求の前記受信と前記第２のネットワーク（２２−１、２２−３）との前記回線交換の呼の実際の確立との間の時間間隔の間、前記第２のネットワーク（２２−１、２２−３）のセルに関する測定を前記無線端末（３０）に実行させる要求を控えるステップと
を特徴とする方法。
【請求項１７】
前記基地局ノード（２８）が、前記第１のネットワーク（２２−１）と前記無線端末（３０）との間の通信を、前記無線端末（３０）が前記第１のネットワーク（２２−１）と該無線端末（３０）との間の通信とのインターリーブモードで前記第２のネットワーク（２２−１、２２−３）のセルに関する測定を実行できるようなやり方で計画するステップをさらに含む、請求項１６に記載の方法。
【請求項１８】
前記基地局ノード（２８）が、前記第２のネットワーク（２２−１、２２−３）との前記回線交換の呼の前記実際の確立に先立って、無線リソース制御（ＲＲＣ）接続解放手順および／またはセル変更オーダおよび／またはパケット交換ハンドオーバ手順を実行するステップをさらに含む、請求項１６に記載の方法。
【請求項１９】
前記基地局ノード（２８）が、
前記無線端末（３０）による前記第２のネットワーク（２２−１、２２−３）との前記回線交換の呼の確立を許可し、その後、
前記回線交換の呼の送信とパケット交換セッションとを多重化させることによって、前記無線端末（３０）と前記第１のネットワーク（２２−１）との間の前記パケット交換セッションを維持、および／または開始する
ステップをさらに含む、請求項１６に記載の方法。
【請求項２０】
無線インターフェイスを介して無線端末（３０）と通信するロングタームエボリューション（ＬＴＥ）ネットワークである第１のネットワーク（２２−１）の基地局ノード（２８）であって、
前記無線端末（３０）が前記第１のネットワーク（２２−１）のセルと第２のネットワーク（２２−１、２２−３）のセルの両方の上に陣取ることができ、したがって前記第１のネットワーク（２２−１）の選択されたセルと前記第２のネットワーク（２２−１、２２−３）の選択されたセルの両者へとチューン可能である旨の知らせを受信および保存し、
前記無線端末（３０）から前記第２のネットワーク（２２−１、２２−３）との回線交換の呼への参加の要求を受信し、
前記無線端末（３０）が前記第１のネットワーク（２２−１）のセルと前記第２のネットワーク（２２−１、２２−３）のセルの両方の上に陣取ることができる旨の前記知らせに応答して、該通知が保存された前記無線端末（３０）に対して、前記回線交換の呼への前記参加の要求の前記受信と前記第２のネットワーク（２２−１、２２−３）との前記回線交換の呼の実際の確立との間の時間間隔の間、前記第２のネットワーク（２２−１、２２−３）のセルに関する測定の実行を要求することを控える
ように構成されていることを特徴とする基地局ノード（２８）。
【請求項２１】
前記知らせを受信および保存するコンテクストメモリ（８２）と、
前記知らせが保存された前記無線端末（３０）に対して、前記第２のネットワーク（２２−１、２２−３）のセルに関する測定の実行を要求することを控えるように構成された測定報告ソリシタ（８４）と
を備えている、請求項２０に記載の基地局ノード（２８）。
【請求項２２】
前記第１のネットワーク（２２−１）と前記無線端末（３０）との間の通信を、前記無線端末（３０）が前記第１のネットワーク（２２−１）と該無線端末（３０）との間の通信とのインターリーブモードで前記第２のネットワーク（２２−１、２２−３）のセルに関する測定を実行できるようなやり方で計画するように構成されたスケジューラ（８６）をさらに備えている、請求項２１に記載の基地局ノード（２８）。
【請求項２３】
ネットワーク移行コントローラ（９６）をさらに備えており、前記ネットワーク移行コントローラ（９６）が、
前記第２のネットワーク（２２−１、２２−３）との前記回線交換の呼の前記実際の確立に先立って、解放無線リソース制御（ＲＲＣ）接続の手順を実行するように構成された無線リソース制御（ＲＲＣ）接続コントローラ、
前記第２のネットワーク（２２−１、２２−３）との前記回線交換の呼の前記実際の確立に先立って、セル変更オーダを実行するように構成されたセル変更オーダコントローラ、および
前記第２のネットワーク（２２−１、２２−３）との前記回線交換の呼の前記実際の確立に先立って、パケット交換ハンドオーバ手順を実行するように構成されたパケット交換ハンドオーバコントローラ
のうちの少なくとも１つの形態をとる、請求項２１に記載の基地局ノード（２８）。
【請求項２４】
前記無線端末（３０）による前記第２のネットワーク（２２−１、２２−３）との前記回線交換の呼の確立を許可し、その後、前記回線交換の呼の送信とパケット交換セッションとを多重化することによって、前記無線端末（３０）と前記第１のネットワーク（２２−１）との間の前記パケット交換セッションを維持および／または開始するように構成されたスケジューラ（８６）をさらに備えている、請求項２１に記載の基地局ノード（２８）。
【発明の詳細な説明】
【技術分野】
【０００１】
アクセス分割多重化のための呼設定の関連出願
本出願は、以下の米国仮特許出願の優先権を主張し、これらの米国仮特許出願に関係し、これらの米国仮特許出願はすべて、その全体が本参照によって本明細書に組み込まれる。
【０００２】
２００９年１２月１７日付の「ＧＳＭ  ａｎｄ  ＬＴＥ  Ｍｕｌｔｉｐｌｅｘｉｎｇ  Ｓｙｓｔｅｍｓ」という名称のＭａｇｎｕｓ  Ｏｌｓｓｏｎらの米国仮特許出願第６１／２８７，５７５号。
【０００３】
２００９年１２月１７日付の「Ｍｅａｓｕｒｅｍｅｎｔ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称のＭａｇｎｕｓ  Ｏｌｓｓｏｎらの米国仮特許出願第６１／２８７，６２３号。
【０００４】
２００９年１２月１７日付の「ＷＣＤＭＡ  ａｎｄ  ＬＴＥ  Ｍｕｌｔｉｐｌｅｘｉｎｇ」という名称のＭａｇｎｕｓ  Ｏｌｓｓｏｎらの米国仮特許出願第６１／２８７，４３８号。
【０００５】
２００９年１２月１７日付の「Ｔｅｌｅｃｏｍｍｕｎｉｃａｔｉｏｎｓ  Ｍｕｌｔｉｐｌｅｘｉｎｇ」という名称のＭａｇｎｕｓ  Ｏｌｓｓｏｎらの米国仮特許出願第６１／２８７，６２７号。
【０００６】
２００９年１２月１７日付の「Ａｃｃｅｓｓ  Ｄｉｖｉｓｉｏｎ  Ｍｕｌｔｉｐｌｅｘｉｎｇ−Ｃａｌｌ  Ｓｅｔｕｐ  Ｐｅｒｆｏｒｍａｎｃｅ  Ｉｍｐｒｏｖｅｍｅｎｔ」という名称のＭａｇｎｕｓ  Ｏｌｓｓｏｎらの米国仮特許出願第６１／２８７，６３０号。
【０００７】
２００９年１２月１７日付の「Ｓｃｈｅｄｕｌｅｄ  Ｏｐｔｉｍｉｚｅｄ  ｆｏｒ  ＧＳＭ  ａｎｄ  ＬＴＤ  Ｍｕｌｔｉｐｌｅｘｉｎｇ」という名称のＭａｇｎｕｓ  Ｏｌｓｓｏｎらの米国仮特許出願第６１／２８７，９５４号。
【０００８】
本出願は、以下の米国特許出願に関係し、これらの米国特許出願はすべて、本出願と同日に出願され、その全体が本参照によって本明細書に組み込まれる。
【０００９】
「ＧＳＭ  ａｎｄ  ＬＴＥ  Ｍｕｌｔｉｐｌｅｘｉｎｇ」という名称のＭａｇｎｕｓ  Ｏｌｓｓｏｎらの米国特許出願第１２／９４３，８０１号。
【００１０】
「Ｌｉｎｋ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称のＭａｇｎｕｓ  Ｏｌｓｓｏｎらの米国特許出願第１２／９４３，７７０号。
【００１１】
「Ｋｅｅｐｉｎｇ  Ｐａｃｋｅｔ  Ｓｗｉｔｃｈｅｄ  Ｓｅｓｓｉｏｎ  ｉｎ  ＬＴＥ  Ｗｈｉｌｅ  Ｃｉｒｃｕｉｔ  Ｓｗｉｔｃｈｅｄ  Ｒｅｇｉｓｔｅｒｅｄ  ｉｎ  ＷＣＤＭＡ」という名称のＭａｇｎｕｓ  Ｏｌｓｓｏｎらの米国特許出願第１２／９４３，６１２号。
【００１２】
「Ｍａｉｎｔａｉｎｉｎｇ  Ｐａｃｋｅｔ  Ｓｗｉｔｃｈｅｄ  Ｓｅｓｓｉｏｎ  ｉｎ  ＬＴＥ  Ｗｈｅｎ  Ｅｓｔａｂｌｉｓｈｉｎｇ  ＧＳＭ  Ｃｉｒｃｕｉｔ  Ｓｗｉｔｃｈｅｄ  Ｃａｌｌ」という名称のＭａｇｎｕｓ  Ｏｌｓｓｏｎらの米国特許出願第１２／９４３，６８５号。
【００１３】
「Ｓｃｈｅｄｕｌｉｎｇ  Ｆｏｒ  Ａｃｃｅｓｓ  Ｄｉｖｉｓｉｏｎ  Ｍｕｌｔｉｐｌｅｘｉｎｇ」という名称のＭａｇｎｕｓ  Ｏｌｓｓｏｎらの米国特許出願第１２／９４３，５０４号。
【００１４】
「Ｃａｌｌ  Ｓｅｔｕｐ  Ｆｏｒ  Ａｃｃｅｓｓ  Ｄｉｖｉｓｉｏｎ  Ｍｕｌｔｉｐｌｅｘｉｎｇ」という名称のＭａｇｎｕｓ  Ｏｌｓｓｏｎらの米国特許出願第１２／９４３，７３６号。
【００１５】
この技術は、無線通信ネットワークに関し、特に呼設定動作に関する。
【背景技術】
【００１６】
典型的なセル式の無線システムにおいては、無線端末（移動局および／またはユーザ装置ユニット（ＵＥ）としても知られる）が、無線アクセスネットワーク（ＲＡＮ）を介して１つまたは複数のコアネットワークと通信する。無線アクセスネットワーク（ＲＡＮ）は、セル領域へと分割された地理的領域をカバーし、各々のセル領域が、例えば無線基地局（ＲＢＳ）などの基地局（いくつかのネットワークにおいては、例えば「ＮｏｄｅＢ」（ＵＭＴＳ）または「ｅＮｏｄｅＢ」（ＬＴＥ）と呼ばれることもある）によって担当される。セルは、基地局サイトの無線基地局設備によって無線サービスがもたらされる地理的領域である。各々のセルは、そのセルにおいてブロードキャストされるローカル無線領域における識別情報によって識別される。基地局は、基地局の範囲内のユーザ装置ユニット（ＵＥ）と無線周波数で動作するエアインターフェイスを介して通信する。
【００１７】
無線アクセスネットワークのいくつかのバージョンにおいては、いくつかの基地局が、典型的にはコントローラノード（無線ネットワークコントローラ（ＲＮＣ）または基地局コントローラ（ＢＳＣ）など）へと（例えば、地上の通信線またはマイクロ波によって）接続され、コントローラノードが、このコントローラノードへと接続された複数の基地局の種々のアクティビティを管理し、調整する。無線ネットワークコントローラが、典型的には、１つまたは複数のコアネットワークへと接続される。
【００１８】
ユニバーサル・モバイル・テレコミュニケーションズ・システム（ＵＭＴＳ）は、第二世代（２Ｇ）のグローバル・システム・フォー・モバイル・コミュニケーションズ（ＧＳＭ）から発展した第三世代の移動体通信システムである。ＵＴＲＡＮが、基本的に、ユーザ装置ユニット（ＵＥ）のために広帯域符号分割多重アクセスを使用する無線アクセスネットワークである。第三世代パートナーシッププロジェクト（３ＧＰＰ）として知られるフォーラムにおいて、電気通信の提供者らが、第三世代のネットワーク（とりわけ、ＵＴＲＡＮ）の標準について提案および同意し、データレートおよび無線容量の改善を研究している。Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）の仕様が、第三世代パートナーシッププロジェクト（３ＧＰＰ）において進行中である。Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）は、ロングタームエボリューション（ＬＴＥ）およびシステム・アーキテクチャ・エボリューション（ＳＡＥ）を含んでいる。ロングタームエボリューション（ＬＴＥ）は、無線基地局ノードが無線ネットワークコントローラ（ＲＮＣ）ノードにではなく、コアネットワークへと（サービングゲートウェイすなわちＳＧＷを介して）接続される３ＧＰＰ無線アクセス技術の一変種である。一般に、ＬＴＥにおいては、無線ネットワークコントローラ（ＲＮＣ）ノードの機能が、無線基地局ノード（ＬＴＥにおけるｅＮｏｄｅＢ）とＳＧＷとの間に分散される。したがって、ＬＴＥシステムの無線アクセスネットワーク（ＲＡＮ）は、無線ネットワークコントローラ（ＲＮＣ）ノードへの報告を行なうことがない無線基地局ノードを備える基本的に「フラット」なアーキテクチャを有する。
【００１９】
セルラー回線交換（ＣＳ）電話が、第一世代の携帯電話ネットワークに導入された。それ以来、ＣＳ電話は、およそ４０億件の加入契約を販売した世界中で最大のサービスとなっている。今日でも、携帯電話事業者の収益の主たる部分は、ＣＳ電話サービス（ショート・メッセージ・サービスを含む）からのものであり、２ＧのＧＳＭネットワークが、依然として加入契約に関して世界を支配している。３Ｇの加入契約が大きく増加しているが、その増加は、ユーザの手持ちの携帯端末の２Ｇから３Ｇへの移行によるものは少なく、多くはドングルまたはラップトップの組み込みチップセットを介して実現されるモバイルブロードバンドの結果である。
【００２０】
３ＧＰＰ内のロングタームエボリューション（ＬＴＥ）プロジェクトは、とりわけエンドユーザへとさらに良好なモバイルブロードバンド（より高いスループット、より短いラウンドトリップタイムなど）を提供するために、３Ｇの規格をさらに改善することを目的としている。
【００２１】
電気通信業界における一般的な見通しは、将来のネットワークが、全ＩＰのネットワークになるというものである。この仮定にもとづき、ＣＳの領域は、ＬＴＥの作業から外された。結果として、３ＧＰＰ  Ｒｅｌｅａｓｅ  ８に準拠したＬＴＥ端末においては、以下の４つの事柄のうちの１つが行なわれない限り、電話通信サービスを使用することができない。
（１）電話サービスが使用されるときにＬＴＥ端末が２Ｇ  ＧＳＭへとフォールバックするよう、回線交換（ＣＳ）フォールバック（ＣＳＦＢ）を実装する。
（２）ＩＰおよびＩＭＳを介して提供される模擬のＣＳ電話サービスであって、公衆交換電話網（ＰＳＴＮ）／公衆陸上移動体ネットワーク（ＰＬＭＮ）と相互に作用する３ＧＰＰ  ＩＰマルチメディアサブシステム（ＩＭＳ）／マルチメディア電話通信（ＭＭＴｅｌ）を実装する。
（３）ＣＳサービスをＩＰトンネルへとカプセル化するＬＴＥにおけるＵｎｌｉｃｅｎｓｅｄ  Ｍｏｂｉｌｅ  Ａｃｃｅｓｓ（ＵＭＡ）／Ｇｅｎｅｒｉｃ  Ａｃｃｅｓｓ  Ｎｅｔｗｏｒｋ（ＧＡＮ）によるトンネリングのソリューションを実装する。
（４）ＰＳＴＮ／ＰＬＭＮと相互作用する独自のボイスオーバーＩＰ（ＶｏＩＰ）ソリューションを実装する。
【００２２】
これら４つの可能性はいずれも、欠点を有している。デュアル・トランスファ・モード（ＤＴＭ）の能力を持たない展開済みのＧＳＭネットワークにおいては、ＣＳおよびパケット交換（ＰＳ）サービスを並行して使用することができない。したがって、回線交換フォールバック（ＣＳＦＢ）を使用する端末への呼または端末からの呼に先立って実行中のすべてのＰＳサービスが、保留にされ、あるいは終了される。ＧＳＭネットワークがＤＴＭを有する場合にも、ＰＳの性能が大きく（数十Ｍｂｐｓから数十〜数百ｋｂｐｓへと）低下する。ＣＳフォールバックの手法における１つの欠点は、呼または被呼の場合に、端末がＬＴＥからＧＳＭおよびＣＳサービスへとフォールバックしているときである。回線交換フォールバック（ＣＳＦＢ）はまた、呼設定時間をも長くする。
【００２３】
ＩＭＳ／ＭＭＴｅｌの手法は、ＩＭＳベースの完全に新しいコア／サービスレイヤを使用する。これは、サービス向上の新たな可能性をもたらすが、事業者にとって克服すべき金銭上のハードルという欠点をも伴う。新たなコアネットワークが、設備投資（ＣＡＰＥＸ）を余儀なくさせ、そのコアネットワークの統合が、初期の運営費用（ＯＰＥＸ）の増加を余儀なくさせる。さらに、ＩＭＳ／ＭＭＴｅｌの手法は、２Ｇ／３Ｇ  ＣＳ電話サービスへの／からのボイスハンドオーバを取り扱うための特徴を、端末およびレガシーＣＳネットワークに実装することを必要とする。
【００２４】
ＬＴＥにおけるＵＭＡ／ＧＡＮの使用は、標準化された技術的解決策ではないため、端末の入手性が問題となりかねない独自の技術的解決策であることが欠点である。また、例えばネットワークにおけるＧＡＮコントローラおよびＵＥ端末におけるＧＡＮプロトコルなど、ネットワークおよび端末の両方においてコア／サービスレイヤに余分な機能を追加する。
【００２５】
独自のＶｏＩＰの手法は、事業者によって制御される場合、ＩＭＳ／ＭＭＴｅｌ（新たなコア／サービスレイヤ）の手法における欠点と同じ欠点を伴い、独自仕様であることに関係する困難もつきまとい、２Ｇ／３Ｇ  ＣＳへのハンドオーバがサポートされない可能性がある。
【００２６】
３ＧＰＰ  ｒｅｌｅａｓｅ  ８に準拠したＬＴＥ端末などの無線端末で古いＣＳ電話サービスを使用するためのさらなる技術的解決策がさらに存在する。一種のアクセス分割多重化（ＡＤＭ）としても知られるそのようなさらなる技術的解決策においては、ＧＳＭ  ＣＳ音声の送信が、ＬＴＥの送信の間にインターリーブされる。例えば、本参照によって本明細書に組み込まれる国際出願ＰＣＴ／ＳＥ２００７／０００３５８号明細書を参照されたい。そのようなＡＤＭの技術的解決策の１つの例示的な実施態様においては、無線端末が、２つのＴＤＭＡベースの無線システムと同時に通信し、例えば無線端末が２つのシステムの間で通信を時間において交互にすることによって、両方のシステムへの通信経路を維持することができる。２つのシステムの間の切り換えは、実質的に２つのシステムの間での同時通信がもたらされるように充分に短い時間軸で行なわれる。
【００２７】
このさらなる技術的解決策は、ＬＴＥのサービス範囲にあるときに良好なＰＳ接続を電話通信サービスと並行に達成しようと試みながら、コストを削減しつつ電話通信サービスについて良好なサービス範囲を依然として維持するために、電話サービスのためのレガシーＣＳコアおよび展開済みのＧＳＭネットワークを依然として再使用している。
【００２８】
このさらなる技術的解決策またはＡＤＭの技術的解決策を、さまざまなやり方で実現することができる。図１Ａに示されている第１の例示的な実施態様は、ＧＳＭ  ＣＳコアとＬＴＥ  ＰＳコアとの間の調整が不要な完全にＵＥを中心とするソリューションである。図１Ｂに示されている第２の例示的な実施例は、回線交換フォールバック（ＣＳＦＢ）にもとづくことができるネットワークに補助されたソリューション、またはＬＴＥによるページングだけを再利用するソリューションである。
【００２９】
無線の観点から、このソリューションを、３つの異なるやり方のいずれかで実現することができる。図２Ａに示される第１の例示的な無線で実現される実施形態として、ＬＴＥ送信を、ＧＳＭ  ＴＤＭＡのフレームレベルでＧＳＭ送信と多重化することができる。この第１の例示的なソリューションでは、ＧＳＭ  ＣＳ電話サービスが、半分のレートのコーデックしか使用することができない。ＧＳＭが半分のレートで動作するとき、１つおきのＧＳＭ  ＴＤＭＡフレームは、ユーザによって使用されることがない。
【００３０】
図２Ｂに示される第２の例示的な無線で実現される実施形態として、ＬＴＥ送信を、ＧＳＭのバーストレベルでＧＳＭ送信と多重化することができる。ＧＳＭはバーストを使用してスピーチを送信し、各々のバーストの継続時間は０．５７７ｍｓである。スピーチの動作において、或るバーストを送信した後で、Ｒｘ／Ｔｘ部は、再び起動して新たなＲｘ／Ｔｘプロセスを行なうまで７×０．５７７ｍｓにわたってスリープする。この第２の実施例においては、この時間ギャップをＬＴＥ送信に使用することができる。
【００３１】
図２Ｃに示される第３の例示的な無線で実現される実施形態として、上述のいずれかを送信のために使用することができるが、動作の単純化のためにダウンリンクにおいてＧＳＭおよびＬＴＥの同時受信のためにデュアル受信機が使用される。
【００３２】
回線交換フォールバック（ＣＳＦＢ）のアーキテクチャおよび原理は、例えば３ＧＰＰ  ＴＳ２３．２７２、Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ、Ｓｔａｇｅ  ２（Ｒｅｌｅａｓｅ  ８）に定義され、このＴＳは本明細書において「２３．２７２」と略され、その全体が本参照によって本明細書に組み込まれる。図３に、回線交換フォールバック（ＣＳＦＢ）の例示的な実施形態を実現するための例示的なアーキテクチャを示している。図３の回線交換フォールバック（ＣＳＦＢ）のアーキテクチャおよびモードにおいては、以下の原理が当てはまる。
・ＣＳフォールバックについて定められたＳＡＥ／ＬＴＥにおける複合のモビリティマネジメント（ＭＭ）およびサービングゲートウェイ（ＳＧ）のインターフェイスの再使用［２３．２７２］。
・ＵＥがＣＳ  ＩｄｌｅモードにおいてＬＴＥ上に陣取り、ＣＳページングおよびショート・メッセージ・サービス（ＳＭＳ）が、ＣＳフォールバックについて定められるとおり、ＳＧおよびモビリティマネジメントエンティティ（ＭＭＥ）を介して送信される［２３．２７２］。
・ＣＳフォールバックについて定められるとおりのアクティブモードにおけるグローバル・システム・フォー・モバイル・コミュニケーション（ＧＳＭ）によるＣＳ回線交換（ＣＳ）非アクセス層（ＮＡＳ）シグナリング。
・ＬＴＥにおけるアクティブモードのＵＥまたはネットワークの調整のギャップにおいて、スピーチをＬＴＥとインターリーブすることができる（例えば、国際出願ＰＣＴ／ＳＥ２００７／０００３５８号明細書に記載されているとおり）。
・ＣＳフォールバックのアーキテクチャおよび原理を使用するが、呼または呼の受信を行なうためにＧＳＭへとチューニングするときにＬＴＥアクセスを解放しない。
【００３３】
図３に示した例示的な種類のアーキテクチャおよび仮定において、呼設定性能は、通常のＣＳフォールバックと同様になる（典型的には、０．５〜２ｓのさらなる呼設定時間）。
【００３４】
ＣＳフォールバックの仕様［２３．２７２］における呼の流れを、どのように呼の確立がシステム情報の測定、チューニング、および読み出しによって影響されるのかを示すために使用することができ、呼の設定の遅延に影響する。同様の呼の流れが、「ＬＴＥでのＧＳＭ音声のインターリーブ」のためのＣＳＦＢベースのアーキテクチャについて必要であると考えられ、同じ遅延による問題が現れると考えられる。
【００３５】
図４は、Ｍｏｂｉｌｅ  Ｏｒｉｇｉｎａｔｉｎｇ  ｃａｌｌ  ｉｎ  Ａｃｔｉｖｅ  Ｍｏｄｅ−ＰＳ  ＨＯ  ｓｕｐｐｏｒｔｅｄ（例えば、３ＧＰＰ  ＴＳ２３．２７２：Ｆｉｇｕｒｅ  ６．２−１：ＣＳ  Ｃａｌｌ  Ｒｅｑｕｅｓｔ  ｉｎ  Ｅ−ＵＴＲＡＮ，Ｃａｌｌ  ｉｎ  ＧＥＲＡＮ／ＵＴＲＡＮを参照）を示している。換言すると、図４は、パケット交換（ＰＳ）ハンドオーバがサポートされているアクティブモードにおける移動体起源（ＭＯ）の呼の事例を表わしている。移動体による終了（ＭＴ）の呼およびアイドルモードのＵＥについての呼の流れも同様である。２Ｇ／３Ｇにおける通常の呼と比べた場合の追加の呼設定遅延は、図４のステップ１、２、および３であり、ステップ２（測定）におおむね１秒を要すると推定される。図に記載されているとおり、ステップ２は随意（ｅＮｏｄｅＢにおいて設定可能）であるが、多くの事業者は、ターゲットセルを選択するために測定の実行が必要であると指摘している。
【００３６】
図５は、Ｍｏｂｉｌｅ  Ｏｒｉｇｉｎａｔｉｎｇ  ｃａｌｌ  ｉｎ  Ａｃｔｉｖｅ  Ｍｏｄｅ−Ｎｏ  ＰＳ  ＨＯ  ｓｕｐｐｏｒｔ（３ＧＰＰ  ＴＳ２３．２７２：Ｆｉｇｕｒｅ  ６．３−１：ＣＳ  Ｃａｌｌ  Ｒｅｑｕｅｓｔ  ｉｎ  Ｅ−ＵＴＲＡＮ，Ｃａｌｌ  ｉｎ  ＧＥＲＡＮ／ＵＴＲＡＮ  ｗｉｔｈｏｕｔ  ＰＳ  ＨＯを参照）を示している。換言すると、図５は、パケット交換（ＰＳ）ハンドオーバがサポートされていないアクティブモードにおける移動体起源（ＭＯ）の呼の事例を表わしている。移動体による終了（ＭＴ）の呼およびアイドルモードのＵＥについての呼の流れも同様である。２Ｇ／３Ｇにおける通常の呼と比べた場合の追加の呼設定遅延は、図５のステップ１〜８であり、ステップ２（測定）におおむね１秒を要すると推定される。図に記載されているとおり、図５のステップ２は随意（ｅＮｏｄｅＢにおいて設定可能）であるが、多くの事業者は、ターゲットセルを選択するために測定の実行が必要であると指摘している。呼の場合、ＵＥがターゲットセルへとチューンするステップ３および６の間にも追加の遅延が存在する。パケット交換ハンドオーバ（ＨＯ）が使用されない場合、これは、ＵＥへともたらされる情報が少なく、ターゲットシステムにおいてリソースが準備されないため、より長い時間を要する。例えば、リダイレクトを伴うＲＲＣ接続の解放が使用される場合、ＵＥはリダイレクト情報に従って新たなセルを選択し直し、このセルへとチューンし、システム情報を読み出す必要がある（１秒以上を要する可能性がある）。
【発明の概要】
【発明が解決しようとする課題】
【００３７】
本明細書に開示される技術は、ネットワークの機能性が３ＧＰＰの規定によるＣＳフォールバックの特徴［３ＧＰＰ  ＴＳ２３．２７２，Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ，Ｓｔａｇｅ  ２（Ｒｅｌｅａｓｅ  ８）］について定められたアーキテクチャおよび原理を再使用することによって解決される場合における呼設定遅延の問題に関する。
【課題を解決するための手段】
【００３８】
本明細書に開示される技術は、その態様のうちの１つにおいて、第１のネットワークおよび第２のネットワークと通信可能である無線端末を動作させる方法に関し、ここで第１のネットワークはＬＴＥネットワークである。この無線端末の方法は、無線端末が（第２のネットワークとの回線交換の呼への参加を要求する前に）第１のネットワークおよび第２のネットワークの各々のそれぞれ選択されたセル上に陣取ることで、第１のネットワークの選択されたセルと第２のネットワークの選択されたセルの両者へとチューンすることを含む。本方法は、第２のネットワークによる回線交換の呼への参加を要求するステップをさらに含む。第２のネットワークの選択されたセル上にすでに陣取っていることに鑑みて、本方法は、第２のネットワークとの回線交換の呼の確立を、回線交換の呼への参加を要求することと第２のネットワークとの回線交換の呼の確立との間の時間間隔において第２のネットワークのセルに関する測定を行なうことなく行なうステップをさらに含む。
【００３９】
例示的な実施形態およびモードにおいては、回線交換の呼への参加の要求が、回線交換の呼の確立の要求または回線交換の呼への呼び出しに対する応答のいずれかを含む。
【００４０】
例示的な実施形態およびモードにおいては、第２のネットワークの選択されたセル上への陣取りにおいて、無線端末が、第２のネットワークの選択されたセルを、無線端末にとって第２のネットワークのうちの最良のセルとなるように決定しており、第２のネットワークのシステム情報を取得している。
【００４１】
１つの例示的な実施形態およびモードにおいては、この無線端末の方法が、陣取りと併せて、無線端末（デュアル受信機の無線端末である）が第１のネットワークと第２のネットワークの両方を同時にリッスンすることで、第２のネットワークのセルについての測定を第１のネットワークに向けた活動と同時に実行するステップをさらに含む。
【００４２】
別の例示的な実施形態およびモードにおいては、この無線端末の方法が、陣取りと併せて、無線端末（インターリーブの無線端末である）が第１のネットワークによる送信の合間に第２のネットワークのセルについての測定を実行するステップをさらに含む。
【００４３】
例示的な実施形態およびモードにおいては、この無線端末の方法が、無線端末が第１のネットワークのセルと第２のネットワークのセルの両方の上に陣取ることができる旨を無線端末がモビリティマネジメントエンティティ（ＭＭＥ）に通知するステップをさらに含む。
【００４４】
例示的な実施形態およびモードにおいては、この無線端末の方法が、無線端末が第２のネットワークとの回線交換の呼の実際の確立に先立って、無線リソース制御（ＲＲＣ）接続解放および／またはセル変更オーダおよび／またはパケット交換ハンドオーバを実行するステップをさらに含む。
【００４５】
例示的な実施形態およびモードにおいては、この無線端末の方法が、第２のネットワークとの回線交換の呼の実際の確立の後で、無線端末が、回線交換の呼の送信とパケット交換セッションとをインターリーブすることによって、第１のネットワークとのパケット交換セッションを維持および／または開始するステップをさらに含む。
【００４６】
本明細書に開示される技術は、その態様のうちの別の１つにおいて、第１のネットワークおよび第２のネットワークと通信可能な無線端末に関し、第１のネットワークはＬＴＥネットワークである。この無線端末が、（第２のネットワークとの回線交換の呼への参加を要求する前に）第１のネットワークおよび第２のネットワークの各々のそれぞれ選択されたセル上に陣取ることで、第１のネットワークの選択されたセルと第２のネットワークの選択されたセルの両者へとチューンするように構成される。無線端末は、第２のネットワークにより回線交換の呼への参加を要求し、第２のネットワークの選択されたセル上にすでに陣取っていることに鑑みて、第２のネットワークとの回線交換の呼の確立を、回線交換の呼への参加を要求することと第２のネットワークとの回線交換の呼の確立との間の時間間隔において第２のネットワークのセルに関する測定を行なうことなく行なうようにさらに構成される。
【００４７】
例示的な実施形態においては、この無線端末が、通信インターフェイスおよびデュアル陣取りユニットを備える。通信インターフェイスが、第１の無線アクセス技術のネットワークおよび第２の無線アクセス技術のネットワークとの無線インターフェイスを介して通信することを無線端末にとって可能になるように構成されている。デュアル陣取りユニットが、無線端末が第２のネットワークとの回線交換の呼への参加を要求する前に、第１のネットワークの選択されたセルと第２のネットワークの選択されたセルの両者へとチューンするように構成されている。
【００４８】
例示的な実施形態においては、この無線端末が、回線交換呼マネージャ、測定ユニット、デュアル陣取り通知部、回線交換（ＣＳ）呼マネージャ、およびパケット交換セッションマネージャをさらに備える。呼設定ユニットが、回線交換の呼の確立の要求または回線交換の呼への呼び出しに対する応答のいずれかを生成することによって回線交換の呼への参加を要求するように構成される。デュアル陣取り通知部が、無線端末が第１のネットワークのセルと第２のネットワークのセルの両方の上に陣取ることができる旨をモビリティマネジメントエンティティ（ＭＭＥ）に通知するように構成された通知メッセージを生成するように構成される。パケット交換セッションマネージャが、第２のネットワークとの回線交換の呼の実際の確立の後で、回線交換の呼の送信とパケット交換セッションとをインターリーブすることによって、第１のネットワークとのパケット交換セッションを維持および／または開始するように構成される。
【００４９】
１つの例示的な実施形態においては、通信インターフェイスは、第１のネットワークと第２のネットワークの両方を同時にリッスンするように構成されることで、測定ユニットが、第１のネットワークに向けた活動と同時に第２のネットワークのセルについての測定を実行することができる。
【００５０】
別の例示的な実施形態においては、通信インターフェイスは、測定ユニットが第１のネットワークにおける送信の合間に第２のネットワークのセルについての測定を実行することを容易にするように構成される。
【００５１】
本明細書に開示の技術は、その態様のうちの別の１つにおいて、無線インターフェイスを介して無線端末と通信する第１のネットワーク（ロングタームエボリューション（ＬＴＥ）ネットワーク）の基地局ノードを動作させる方法に関する。この方法は、無線端末が第１のネットワークのセルと第２のネットワークのセルの両方の上に陣取ることができる（したがって、無線端末が第１のネットワークの選択されたセルと第２のネットワークの選択されたセルの両者へとチューン可能である）旨の知らせを受信するステップを含む。この方法は、無線端末から第２のネットワークとの回線交換の呼への参加の要求を受信するステップと、無線端末が第１のネットワークのセルと第２のネットワークのセルの両方の上に陣取ることができる旨の知らせに応答して、回線交換の呼への参加の要求の受信と第２のネットワークとの回線交換の呼の実際の確立との間の時間間隔について、第２のネットワークのセルに関する測定を無線端末に実行させる要求を控えるステップとをさらに含む。
【００５２】
例示的なモードおよび実施形態においては、基地局ノードを動作させる方法が、基地局ノードが、第１のネットワークと無線端末との間の通信を、無線端末が第１のネットワークと無線端末との間の通信とのインターリーブのモードで第２のネットワークのセルに関する測定を実行できるようなやり方で計画するステップをさらに含む。
【００５３】
例示的なモードおよび実施形態においては、基地局ノードを動作させる方法が、基地局ノードが、第２のネットワークとの回線交換の呼の実際の確立に先立って、無線リソース制御（ＲＲＣ）接続解放手順および／またはセル変更オーダおよび／またはパケット交換ハンドオーバ手順を実行するステップをさらに含む。
【００５４】
例示的なモードおよび実施形態においては、基地局ノードを動作させる方法が、基地局ノードが、無線端末による第２のネットワークとの回線交換の呼の確立を許可し、その後に回線交換の呼の送信とパケット交換セッションとをインターリーブすることによって、無線端末と第１のネットワークとの間のパケット交換セッションを維持し、さらには／あるいは開始するステップをさらに含む。
【００５５】
本明細書に開示の技術は、別の態様において、デュアル陣取りの無線端末のために働くロングタームエボリューション（ＬＴＥ）ネットワークの基地局ノードに関する。この基地局ノードが、無線端末が第１のネットワークのセルと第２のネットワークのセルの両方の上に陣取ることができる（したがって、第１のネットワークの選択されたセルと第２のネットワークの選択されたセルの両者へとチューン可能である）旨の知らせを受信および保存するように構成される。基地局ノードが、無線端末から第２のネットワークとの回線交換の呼への参加の要求を受信し、（無線端末が第１のネットワークのセルと第２のネットワークのセルの両方の上に陣取ることができる旨の知らせに応答して）この知らせが保存された無線端末に関して、回線交換の呼への参加の要求の受信と第２のネットワークとの回線交換の呼の実際の確立との間の時間間隔について、第２のネットワークのセルに関する測定の実行の要求を控えるようにさらに構成される。
【００５６】
例示的な実施形態においては、基地局ノードが、コンテクストメモリおよび測定報告ソリシタを備える。コンテクストメモリが、無線端末が第１のネットワークのセルと第２のネットワークのセルの両方の上に陣取ることができる旨、および無線端末がしたがって第１のネットワークの選択されたセルと第２のネットワークの選択されたセルの両者へとチューン可能である旨の知らせを、受信して保存する。測定報告ソリシタが、前記知らせが保存された無線端末に関して、回線交換の呼への参加の要求の受信と第２のネットワークとの回線交換の呼の実際の確立との間の時間間隔について、第２のネットワークのセルに関する測定の実行の要求を控えるように構成される。
【００５７】
例示的な実施形態においては、基地局ノードが、第１のネットワークと無線端末との間の通信を、無線端末が第１のネットワークと無線端末との間の通信とのインターリーブのモードで第２のネットワークのセルに関する測定を実行できるようなやり方で計画するように構成されたスケジューラをさらに備える。
【００５８】
例示的な実施形態においては、基地局ノードが、ネットワーク移行コントローラをさらに備える。ネットワーク移行コントローラは、無線リソース制御（ＲＲＣ）接続コントローラ、セル変更オーダコントローラ、およびパケット交換ハンドオーバコントローラのうちの少なくとも１つの形態をとることができる。無線リソース制御（ＲＲＣ）接続コントローラは、第２のネットワークとの回線交換の呼の実際の確立に先立って、解放無線リソース制御（ＲＲＣ）接続の手順を実行するように構成される。セル変更オーダコントローラは、第２のネットワークとの回線交換の呼の実際の確立に先立って、セル変更オーダを実行するように構成される。パケット交換ハンドオーバコントローラは、第２のネットワークとの回線交換の呼の実際の確立に先立って、パケット交換ハンドオーバ手順を実行するように構成される。
【００５９】
例示的な実施形態においては、基地局ノードが、無線端末による第２のネットワークとの回線交換の呼の確立を許可し、その後に回線交換の呼の送信とパケット交換セッションとをインターリーブすることによって無線端末と第１のネットワークとの間のパケット交換セッションを維持し、さらには／あるいは開始するように構成されたスケジューラをさらに備える。
【００６０】
本発明の以上の目的、特徴、および利点、ならびに他の目的、特徴、および利点が、添付の図面に示されるとおりの好ましい実施形態についての以下のさらに詳しい説明から、明らかになるであろう。添付の図面において、参照符号は、種々の図を通して同じ部分を指している。図面は必ずしも比例尺でなく、むしろ本発明の原理を示すことに重要性が置かれている。
【図面の簡単な説明】
【００６１】
【図１】Ａは、ＧＳＭ  ＣＳコアとＬＴＥ  ＰＳコアとの間の調整が不要な完全にＵＥを中心とするソリューションであるＡＤＭソリューションを示す概略図である。Ｂは、ＣＳフォールバック（ＣＳＦＢ）またはＬＴＥによるページングだけを再利用するソリューションのいずれかにもとづくことができるネットワークに補助されたアクセス分割多重化（ＡＤＭ）のソリューションを示す概略図である。
【図２】Ａ〜Ｃは、アクセス分割多重化（ＡＤＭ）のソリューションについて、無線で実現される種々の例示的な実施形態を示す概略図である。
【図３】アクセス分割多重化（ＡＤＭ）の例示的な実施形態およびモードを実現するための典型的なアーキテクチャの概略図である。
【図４】アクティブモードの移動体起源の呼に関して実行される行為を示す概略図であり、パケット交換（ＰＳ）ハンドオーバ（ＨＯ）がサポートされている。
【図５】アクティブモードの移動体起源の呼に関して実行される行為を示す概略図であり、パケット交換（ＰＳ）ハンドオーバ（ＨＯ）はサポートされていない。
【図６】ＬＴＥネットワークのセルおよび２Ｇ（例えば、ＧＳＭ）ネットワークのセル上に並行して陣取る無線端末を示す概略図である。
【図７】ＬＴＥネットワークのセルおよび３Ｇネットワークのセル上に並行して陣取る無線端末を示す概略図である。
【図８】第１の無線アクセス技術のネットワークおよび第２の無線アクセス技術のネットワークに対するデュアル受信機の無線端末の配置を示す概略図である。
【図９】第１の無線アクセス技術のネットワークおよび第２の無線アクセス技術のネットワークに対するインターリーブの無線端末の配置を示す概略図である。
【図１０】一般的なデュアル陣取り無線端末の例示的な実施形態の概略図である。
【図１１】デュアル陣取り無線端末の例示的な実施形態のさらに詳細な概略図である。
【図１２】プラットフォームの実装を示しているデュアル陣取り無線端末の例示的な実施形態のさらに詳細な概略図である。
【図１３】一般的なデュアル陣取り無線端末の動作方法に関する基本の代表的な行為またはステップを示すフロー図である。
【図１４】例示的な実施形態による基地局ノードの概略図である。
【図１５】プラットフォームの実装を示している例示的な実施形態による一般的な基地局ノードのさらに詳細な概略図である。
【図１６】デュアル陣取り無線端末のために働く基地局ノードの動作方法に関する基本の代表的な行為またはステップを示すフロー図である。
【図１７】アイドルモードの無線端末について、改善されたＣＳフォールバックの流れに関する典型的な行為、ステップ、または事象を示す概略図である。
【図１８】アクティブなＬＴＥパケット交換（ＰＳ）セッションを有している無線端末について、改善されたＣＳフォールバックの流れに関する典型的な行為、ステップ、または事象を示す概略図である。
【図１９】２Ｇにおける回線交換（ＣＳ）およびＬＴＥにおけるパケット交換（ＰＳ）を並行にサポートするアイドルな無線端末について、改善された流れに関する例示的な行為、ステップ、または事象を示す概略図である。
【図２０】２Ｇにおける回線交換（ＣＳ）およびＬＴＥにおけるパケット交換（ＰＳ）を並行にサポートするアクティブな無線端末について、改善された流れに関する例示的な行為、ステップ、または事象を示す概略図である。
【発明を実施するための形態】
【００６２】
以下の説明においては、限定ではなくて説明を目的として、本発明の完全な理解をもたらすために、特定のアーキテクチャ、インターフェイス、技術などの具体的詳細を記載する。しかしながら、本発明を、それらの具体的詳細から外れる他の実施形態にて実施してもよいことは、当業者にとって明らかであろう。すなわち、当業者であれば、本明細書において明示的に説明または図示されることはないが、本発明の原理を具現化し、本発明の技術的思想および技術的範囲に包含される種々の構成を、考え出すことができるであろう。いくつかの場合には、本発明の説明を不必要な詳細によって不明瞭にしてしまうことがないよう、よく知られた装置、回路、および方法の詳しい説明は省略される。本発明の原理、態様、および実施形態、ならびにその具体的な実施例を説明する本明細書におけるすべての記載は、それらの構造的な均等物および機能的な均等物の両方を包含する。さらに、そのような均等物には、現時点において知られている均等物ならびに将来開発される均等物の両方が含まれ、すなわち構造にかかわらず同じ機能を果たすように作られたあらゆる要素が含まれる。
【００６３】
したがって、例えば、本明細書に記載のブロック図が、この技術の原理を具現化する例示の回路または他の機能ユニットの概念図を表わすことができることを、当業者であれば理解されよう。同様に、あらゆるフロー図、状態移行図、擬似コードなどが、コンピュータにとって読み取り可能な媒体にて実質的に表現でき、したがってコンピュータまたはプロセッサ（明示的に示されているか否かにかかわらず）によって実行できる種々のプロセスを表わすことを理解されよう。
【００６４】
これらに限られるわけではないが「コンピュータ」、「プロセッサ」、または「コントローラ」と標記または説明されている機能ブロックなどの機能ブロックを含む種々の構成要素の機能を、回路ハードウェアおよび／またはコンピュータにとって読み取り可能な媒体上に保存されたコード化されたインストラクションの形態のソフトウェアを実行することができるハードウェアなどのハードウェアの使用によってもたらし得る。したがって、そのような機能および例示の機能ブロックを、ハードウェアによって実装され、さらには／あるいはコンピュータによって実装され、したがって機械によって実装されると理解すべきである。
【００６５】
ハードウェアによる実装に関して、機能ブロックは、これらに限られるわけではないが、デジタル信号プロセッサ（ＤＳＰ）ハードウェア、縮小命令セットプロセッサ、これに限られるわけではないが特定用途向け集積回路（ＡＳＩＣ）などのハードウェア（例えば、デジタルまたはアナログ）回路、ならびに（必要に応じて）そのような機能を実行することができる状態機械を含み、または包含し得る。
【００６６】
コンピュータによる実装に関して、コンピュータは、通常は、１つまたは複数のプロセッサまたは１つまたは複数のコントローラを含むものと理解され、用語「コンピュータ」ならびに「プロセッサ」および「コントローラ」は、本明細書において入れ換え可能に使用し得る。コンピュータあるいはプロセッサまたはコントローラによってもたらされる場合、機能が、単一の専用のコンピュータあるいはプロセッサまたはコントローラによってもたらされても、単一の共有のコンピュータあるいはプロセッサまたはコントローラによってもたらされても、一部が共有または分散であってもよい複数の個別のコンピュータあるいはプロセッサまたはコントローラによってもたらされてもよい。さらに、用語「プロセッサ」または「コントローラ」の使用は、上述の例示的なハードウェアなど、そのような機能の実行および／またはソフトウェアの実行が可能な他のハードウェアも指すものと解釈されなければならない。
【００６７】
呼の確立までの時間は、音声サービスにおけるユーザエクスペリエンスの重要な一部分である。したがって、ＧＳＭ音声とＬＴＥとをインターリーブする技術的解決策において追加の呼設定遅延を最小化または除去する技術的解決策を見つけることが重要である。遅延の主たる原因のいくつかは、測定、チューニング、ならびに選択されたセルおよびシステム情報の読み出しとの同期である。したがって、本明細書に開示される技術は、呼設定遅延の問題に関係し、ネットワークの機能性が例として図３に示したように３ＧＰＰによって規定された回線交換フォールバック（ＣＳＦＢ）［２３．２７２］について定められたアーキテクチャおよび原理を使用する場合に、呼設定遅延の軽減に特に好都合である。したがって、本明細書に開示される技術は、呼設定を改善する。
【００６８】
本明細書に開示される技術の一態様によれば、無線端末または「ＵＥ」が、ロングタームエボリューション（ＬＴＥ）ネットワークのセル上に陣取るときに、並行して別の無線アクセス技術のセル（すなわち、回線交換（ＣＳ）互換の無線アクセス技術のセル）上にも「陣取る」。例えば、図６にＧＳＭネットワーク２２−２のセルおよびロングタームエボリューション（ＬＴＥ）ネットワーク２２−１のセルを示している。ＧＳＭネットワーク２２−２が、無線基地局ノード２８−２を備える一方で、ＬＴＥネットワーク２２−１が、基地局またはｅＮｏｄｅＢ２８−１を備えている。図６に、さらにロングタームエボリューション（ＬＴＥ）ネットワーク２２−１のセル上に陣取り、さらにＧＳＭネットワーク２２−２のＧＳＭセル（例えば、２Ｇセル）にも「陣取って」いる無線端末または「ＵＥ」３０を示している。別の実施例として、図７に、ロングタームエボリューション（ＬＴＥ）ネットワーク２２−１のセルおよびＷＣＤＭＡネットワーク２２−３（３Ｇネットワーク）のセルを示している。ＬＴＥネットワーク２２−１が、基地局またはｅＮｏｄｅＢ２８−１を含む一方で、３Ｇネットワーク２２−１が、基地局２８−３を備えている。図７に、さらにロングタームエボリューション（ＬＴＥ）ネットワーク２２−１のセル上に陣取り、さらにネットワーク２２−３のＷＣＤＭＡセル上（例えば、３Ｇセル）にも「陣取って」いる無線端末または「ＵＥ」３０を示している。
【００６９】
例えば図６および図７の実施例によって示されるようなデュアルの陣取りの機能に鑑み、本明細書に記載のとおりに構成され、さらには／あるいは本明細書に記載のとおりに動作する無線端末は、デュアル陣取り無線端末としても知られる。本明細書において使用されるとき、「陣取り」は、無線端末が「最良」の隣接２Ｇ／３Ｇセルを選択しており、そのセルにチューンし、システム情報を読み出していることを意味する。無線端末は、基本的にすべてのシグナリングをＬＴＥ／Ｅ−ＵＴＲＡＮによって実行し、さらに無線端末は、並行して２Ｇ／３Ｇセルの測定および再選択を続ける。無線端末は、たとえＬＴＥ／Ｅ−ＵＴＲＡＮにおいて進行中の有効なパケット交換（ＰＳ）セッションが存在しても、２Ｇ／３Ｇセルの測定を続ける。
【００７０】
無線端末３０が「最良」の２Ｇ／３Ｇ隣接セルを知っており、システム情報を有しており、そのセルへとチューンされているため、この情報を、情報の流れをショートカットして２Ｇ／３Ｇ上における回線交換（ＣＳ）の呼の呼設定を高速にするために使用することができる。この情報の利用、および呼設定の高速化のための機構および技法が、本明細書において説明される。これらの機構および技法は、既存のＣＳフォールバックのソリューション（３ＧＰＰ  ＴＳ２３．２７２）ならびにＧＳＭ音声をＬＴＥにインターリーブするためのＣＳＦＢベースのアーキテクチャ（国際出願ＰＣＴ／ＳＥ２００７／０００３５８号明細書に記載のアーキテクチャなど）の両方において、呼設定遅延を減らすことができる。
【００７１】
本明細書において使用されるとき、デュアル陣取り無線端末は、２つの基本的な種類のいずれであってもよい。第１の基本的な種類のデュアル陣取り無線端末は、デュアルの受信機を有し、したがって２つの異なる無線アクセス技術のネットワークからの送信を同時に受信することができる無線端末である。この第１の基本的な種類のデュアル陣取り無線端末が、図８に示されており、図８において、デュアルの受信機の無線端末がＬＴＥおよび２Ｇ（または、３Ｇ）の両方を同時にリッスンしている旨が示されている。これにより、デュアル陣取り無線端末は、２Ｇ／３Ｇセルについての測定を、ＬＴＥにおける任意の他の活動と同時に実行することができる。
【００７２】
第２の基本的な種類のデュアル陣取り無線端末は、２Ｇ／３Ｇの測定およびシステム情報の読み出しをＬＴＥ／Ｅ−ＵＴＲＡＮにおけるアイドルまたはアクティブモードとインターリーブまたは多重化することができるインターリーブまたは多重化無線端末である。この第２の基本的な種類のデュアル陣取り無線端末が、図９に示されており、図９において、インターリーブの無線端末が、いくつかの時間スロットにおける２Ｇ／３Ｇの測定およびシステム情報の読み出しを、他の時間スロットにおけるＬＴＥ／Ｅ−ＵＴＲＡＮのアイドルまたはアクティブモードとインターリーブまたは多重化することができる。この第２の種類のデュアル陣取り無線端末は、無線端末およびＬＴＥ／Ｅ−ＵＴＲＡＮが、無線端末が２Ｇ／３Ｇについての測定およびシステム情報の読み出しを行なうことができるＬＴＥにおける「すき間」を生成できることを必要とする。これは、通常のＬＴＥ動作を可能にするためにすでに可能にされており、相違は、この種のデュアル陣取り無線端末が、２Ｇ／３Ｇにおける測定およびシステム情報の読み出しを実行するためにＬＴＥにおけるすき間の連続パターンを必要とする点にある。
【００７３】
したがって、デュアルの受信機の無線端末とインターリーブの無線端末の両方が、並行してＬＴＥおよび２Ｇ／３Ｇのセル上に「陣取る」ことができる。インターリーブの無線端末は、隣接セルの測定に必要なすき間の計画パターンをｅＮｏｄｅＢにおいて生成するために、無線端末の能力をＬＴＥ／Ｅ−ＵＴＲＡＮに知らせることを必要とする。移動性ゆえに、すき間の発生の時間調節も必要とされることがある。
【００７４】
図１０は、一般的なデュアル陣取り無線端末３０の例示的な実施形態を示している。デュアル陣取りであるため、機能に関して無線端末３０を第１のネットワーク側と第２のネットワーク側の両方を有するものとして概念化することができ、したがって図１０においては、無線端末３０が破線によるネットワーク機能の境界線を有するものとして図示されている。本明細書に開示の技術に不可欠なユニットに関して、無線端末３０は、通信インターフェイス４０とデュアル陣取りユニット４２とを備える。通信インターフェイス４０は、無線端末が無線インターフェイスを介して第１の無線アクセル技術のネットワーク（例えば、図６および図７のＬＴＥネットワーク２２−１）および第２の無線アクセス技術のネットワーク（例えば、図６のＧＳＭネットワーク２２−２または図７のＷＣＤＭＡネットワーク２２−３）と通信することを可能にする。
【００７５】
デュアル陣取りユニット４２は、第１のネットワーク（例えば、図６および図７のＬＴＥネットワーク２２−１）の選択されたセルと第２のネットワーク（例えば、図６のＧＳＭネットワーク２２−２または図７のＷＣＤＭＡネットワーク２２−３）の選択されたセルの両方へとチューンするように構成され、そのようなチューンを、無線端末が第２のネットワークにおける回線交換の呼への参加を要求する前に行なうように構成される。この目的のため、デュアル陣取りユニット４２は、デュアル陣取りユニット第１サブセクション４２−１およびデュアル陣取りユニット第２サブセクション４２−２へと仕切られ、あるいは他のやり方でデュアル陣取りユニット第１サブセクション４２−１およびデュアル陣取りユニット第２サブセクション４２−２を備えるものとして示されている。デュアル陣取りユニット第１サブセクション４２−１が、第１のネットワーク２２−１へのチューンを担当する一方で、デュアル陣取りユニット第２サブセクション４２−２が、第１のネットワーク２２−２へのチューンを担当する。
【００７６】
本明細書において使用されるとき、回線交換の呼における「参加の要求」は、回線交換の呼の確立の要求または回線交換の呼のための呼び出しへの応答のいずれかを含む。
【００７７】
１つの例示的な実施形態においては、通信インターフェイス４０が、第２のネットワークのセルについての測定を第１のネットワークに向けた活動と同時に実行できるよう、第１のネットワークと第２のネットワークの両方を同時にリッスンするように構成される。そのような例示的な実施形態においては、無線端末が、図８に関して述べたようなデュアルの受信機の無線端末である。別の例示的な実施形態においては、通信インターフェイス４０が、第１のネットワーク（例えば、ＬＴＥネットワーク）との送信のすき間において測定ユニットが第２のネットワークのセルの測定を実行するのを容易にするように構成される。そのような他の例示的な実施形態においては、無線端末が、図９に関して述べたようなインターリーブまたは多重化の無線端末である。図１０は、デュアルの受信機とインターリーブの両方の種類のデュアル陣取り無線端末を包括的に説明しているが、図示のために、図１０はデュアルの受信機の種類のデュアル陣取り無線端末に対する通信インターフェイス４０のデュアルの受信機４４−１および４４−２を破線によって示している。特に指定されない限り、説明および／または図示される無線端末の他の実施形態が、デュアル受信機式の無線端末またはインターリーブ式の無線端末のいずれかであってもよいことを、理解すべきである。
【００７８】
図１１は、デュアル陣取り無線端末３０（１１）の例示的な実施形態のさらなる詳細を示している。通信インターフェイス４０およびデュアル陣取りユニット４２に加えて、図１１の無線端末３０（１１）は、回線交換呼マネージャ５０、測定ユニット５２、デュアル陣取り通知部５４、およびパケット交換セッションマネージャ５６を備えている。回線交換呼マネージャ５０は、無線端末３０によって発せられる回線交換の呼の確立の要求または無線端末３０によって終了される回線交換の呼のための呼び出しへの応答のいずれかを生成することによって回線交換の呼への参加を要求するように構成されている。デュアル陣取り通知部５４は、無線端末が第１のネットワークのセルと第２のネットワークのセルの両方において陣取りできることをモバイル・マネジメント・エンティティ（ＭＭＥ）に知らせるように構成された通知メッセージを生成する。パケット交換セッションマネージャ５６は、第２のネットワークとの回線交換の呼の実際の確立の後で、回線交換の呼の送信とパケット交換セッションとをインターリーブすることによって、第１のネットワークとのパケット交換セッションを開始および／または維持する。
【００７９】
図１２は、ＬＴＥネットワーク２２−１の管理および送信を取り扱うように構成された第１のコントローラ５８−１と、ネットワーク２２−２またはネットワーク２２−３の管理および送信を取り扱うように構成された第２のコントローラ５８−２とを備えるデュアル陣取り無線端末３０（１２）の例示的な実施形態を示している。第１のコントローラ５８−１および第２のコントローラ５８−２は、同じプロセッサまたはコントローラ（あるいは、プロセッサシステム）によって実現または実装することが可能であり、そのような場合には、一時的でない実行可能信号（例えば、物理的な媒体上に保存されたプログラムまたはルーチン）の別々の組を構成することができる。
【００８０】
さらに図１２は、例示的な実施形態のデュアル陣取り無線端末３０（１２）の特定の機能を、プラットフォーム６０によって実現でき、さらには／あるいはプラットフォーム６０上に用意できることを示している。用語「プラットフォーム」は、通信ユニットまたはノードの機能ユニットを機械によってどのように実装または実現できるかを説明するやり方である。１つの例示的なプラットフォームは、これらに限られるわけではないがデュアル陣取りユニット４２、回線交換呼マネージャ５０、測定ユニット５２、デュアル陣取り通知部５４、およびパケット交換セッションマネージャ５６を含む構成要素の１つまたは複数が線６０によって囲まれているコンピュータによる実装である。
【００８１】
１つの例示的な実施態様では、プラットフォーム６０によって囲まれて示されているこれらの機能ならびに他の機能も、本明細書に記載の種々の行為を実行するためにメモリに保存されたコード化されたインストラクション（例えば、一時的でない信号）を実行する１つまたは複数のプロセッサによって実現することができる。そのようなコンピュータによる実装においては、無線端末が、プロセッサに加えて、メモリ部６２を備えることができ、メモリ部６２は、ランダムアクセスメモリ６４、読み出し専用メモリ６６、アプリケーションメモリ６８（例えば、本明細書に記載の行為を実行するためにプロセッサによって実行することができるコード化されたインストラクションを保存する）、および任意の他のメモリ（例えばキャッシュメモリなど）を備えることができる。
【００８２】
具体的に示されているか否かにかかわらず、典型的には、本明細書において検討される各々の実施形態の無線端末は、特定の入力／出力ユニットまたは機能をさらに備えることができ、無線端末の代表的な入力／出力ユニットが、キーパッド７０、オーディオ入力装置（例えば、マイクロホン）７２、視覚入力装置（例えば、カメラ）７４、視覚出力装置（例えば、表示装置７６）、およびオーディオ出力装置（例えば、スピーカ）７８として図１２に示されている。他の種類の入力／出力装置も、無線端末３０へと接続でき、あるいは無線端末３０を備えることができる。
【００８３】
図１２の例では、プラットフォーム６０が、コンピュータによって実装されるものとして示され、あるいはコンピュータベースのプラットフォームとして示されている。無線端末の他の典型的なプラットフォーム６０は、回路要素が本明細書に記載の種々の行為を実行するように構造化されて動作するハードウェア回路（例えば、特定用途向け集積回路（ＡＳＩＣ））のプラットフォームであってもよい。
【００８４】
さらに、本明細書において使用されるとき、「無線端末」または「ＵＥ」が、これらに限られるわけではないが携帯電話機（「セルラー」電話機）および無線の能力を有するラップトップ（例えば、移動端末）などの移動局またはユーザ装置ユニット（ＵＥ）であってもよく、したがって例えば無線アクセスネットワークと音声および／またはデータの通信するポータブル、ポケット、ハンドヘルド、コンピュータ内、または車載のモバイル装置であってもよいことが理解されるであろう。
【００８５】
図１３は、一般的なデュアル陣取り無線端末の動作方法に関する基本の代表的な行為またはステップを示している。行為１３−１が、無線端末が（第２のネットワークにおける回線交換の呼への参加を要求する前に）第１のネットワークおよび第２のネットワークの各々のそれぞれ選択されたセル上に陣取ることを含んでいる。それぞれの選択されたセルへの陣取りにおいて、無線端末は、基本的に第１のネットワークについて選択されたセルと第２のネットワークについて選択されたセルの両方にチューンしている。行為１３−２は、無線端末が第２のネットワークによる回線交換の呼への参加を要求することを含んでいる。行為１３−３は、無線端末が、第２のネットワークの選択されたセル上にすでに陣取っていることに鑑み、第２のネットワークにおける回線交換の呼の確立を、回線交換の呼への参加を要求することと第２のネットワークにおける回線交換の呼の確立との間の時間間隔において第２のネットワークのセルに関する測定を行なうことなく行なうことを含んでいる。
【００８６】
図１４は、デュアル陣取り無線端末３０のために働くロングタームエボリューション（ＬＴＥ）ネットワークの基地局ノード２８−１の例示的な実施形態を示している。基地局２８−１は、基地局通信インターフェイス８０、コンテクストメモリ８２、測定報告ソリシタ８４、基地局スケジューラ８６、およびコアネットワークインターフェイス９０を備えている。基地局通信インターフェイス８０が、無線端末３０とのエアーまたは無線のインターフェイスによる送信を容易にするように構成されている。そのような送信は、基地局スケジューラ８６によって計画および制御される。
【００８７】
コンテクストメモリ８２は、無線端末が第１のネットワークのセルと第２のネットワークのセルの両方の上に陣取ることができる旨の通知９２を受信して保存する（ここから基地局２８は、無線端末が第１のネットワークについて選択されたセルと第２のネットワークについて選択されたセルの両方にチューンできることを理解する）。測定報告ソリシタ８４は、通知９２が保存された無線端末３０について、回線交換の呼への参加の要求の受信と第２のネットワークにおける回線交換の呼の実際の確立との間の時間間隔において、第２のネットワークのセルに関する測定の実行の要求を控えるように構成されている。図１４は、呼の要求後／呼の確立前の期間において測定報告を止める測定報告ソリシタ８４のロジックまたはユニット９４として示している。
【００８８】
例示的な実施形態においては、基地局スケジューラ８６が、第１のネットワークと無線端末との間の通信を、無線端末が第２のネットワークのセルに関する測定を第１のネットワークと無線端末との間の通信とのインターリーブのモードで実行できるようなやり方で、計画するように構成される。この目的のため、基地局スケジューラ８６は、ＬＴＥのスケジューラ部８６−１と第２のネットワーク（例えば、ＧＳＭまたはＷＣＤＭＡ）のスケジューラ部８６−２とを備える。
【００８９】
例示的な実施形態においては、基地局ノードが、ネットワーク移行コントローラ９６をさらに備える。ネットワーク移行コントローラ９６は、無線リソース制御（ＲＲＣ）接続コントローラ、セル変更オーダコントローラ、およびパケット交換ハンドオーバコントローラのうちの少なくとも１つの形態をとることができる。無線リソース制御（ＲＲＣ）接続コントローラは、第２のネットワークとの回線交換の呼の実際の確立の前に、リリース無線リソース制御（ＲＲＣ）接続の手順を実行するように構成される。セル変更オーダコントローラは、第２のネットワークとの回線交換の呼の実際の確立の前に、セル変更オーダを実行するように構成される。パケット交換ハンドオーバコントローラは、第２のネットワークとの回線交換の呼の実際の確立の前に、パケット交換ハンドオーバの手順を実行するように構成される。
【００９０】
例示的な実施形態においては、基地局ノードの基地局スケジューラ８６が、無線端末が第２のネットワークとの回線交換の呼を確立し、その後に回線交換の呼およびパケット交換のセッションの送信をインターリーブことによって無線端末と第１のネットワークとの間のパケット交換のセッションを開始および／または維持することを許可するようにさらに構成される。
【００９１】
図１５は、例示的な実施形態の基地局２８−１の特定の機能をプラットフォーム１００によって実現でき、さらには／あるいはプラットフォーム１００上に用意できることを示している。１つの例示的なプラットフォームは、これらに限られるわけではないがコンテクストメモリ８２、測定報告ソリシタ８４、基地局スケジューラ８６、およびネットワーク移行コントローラ９６を含む構成要素の１つまたは複数が、線１００によって囲まれているコンピュータによる実装である。
【００９２】
１つの例示的な実施例では、プラットフォーム１００によって囲まれて示されているこれらの機能ならびに他の機能も、本明細書に記載の種々の行為を実行するためにメモリに保存されたコード化されたインストラクション（例えば、一時的でない信号）を実行する１つまたは複数のプロセッサによって実現することができる。そのようなコンピュータによる実装においては、基地局ノードが、プロセッサに加えて、メモリ部１０２を備えることができ、メモリ部１０２は、ランダムアクセスメモリ１０４、読み出し専用メモリ１０６、アプリケーションメモリ１０８（例えば、本明細書に記載の行為を実行するためにプロセッサによって実行することができるコード化されたインストラクションを保存する）、および任意の他のメモリ、例えばキャッシュメモリなどを備えることができる。さらに、本明細書に記載の各々の実施形態の基地局２８−１はまた、無線端末についてすでに述べたような特定の入力／出力ユニットまたは機能をも備えることができる。
【００９３】
図１５の実施例では、プラットフォーム１００が、コンピュータによって実装されるプラットフォームまたはコンピュータベースのプラットフォームとして示されている。２８−１のための他の例示的なプラットフォーム１００は、回路要素が本明細書に記載の種々の行為を実行するように構造化されて動作するハードウェア回路（例えば、特定用途向け集積回路（ＡＳＩＣ））のプラットフォームであってもよい。
【００９４】
図１６は、一般的なデュアル陣取り無線端末のために働く基地局ノード２８−１の動作方法に関する基本の代表的な行為またはステップを示している。行為１６−１は、無線端末が第１のネットワークのセルと第２のネットワークのセルの両方の上に陣取ることができる（したがって、無線端末が第１のネットワークについて選択されたセルと第２のネットワークについて選択されたセルの両方にチューンすることができる）旨の通知を基地局ノード２８−１が受信することを含んでいる。行為１６−２は、基地局ノード２８−１が第２のネットワークとの回線交換の呼への参加の要求を無線端末から受信することを含んでいる。行為１６−３は、無線端末が第１のネットワークのセルと第２のネットワークのセルの両方の上に陣取ることができる旨の通知に応答して、回線交換の呼への参加の要求の受信と第２のネットワークとの回線交換の呼の実際の確立との間の時間間隔において、第２のネットワークのセルに関する測定の実行を、無線端末に対して要求することを控えることを含んでいる。
【００９５】
以上から理解されるとおり、デュアル陣取りの能力から利益を得るために、回線交換フォールバック（ＣＳＦＢ）機構および情報の流れについてのいくつかの変更が、呼設定遅延の最適化／低減のために必要である。１つの変更は、無線端末が、自身がデュアル陣取り能力を有すること、ならびに無線端末がデュアル受信機の無線端末およびインターリーブの無線端末のどちらであるのかを、ｅＮｏｄｅＢに知らせなければならない点にある。そのような通知を、デュアル陣取り通知部５４によって生成し、無線端末３０から通信インターフェイス４０によってＬＴＥネットワーク２２−１のｅＮｏｄｅＢ２８−１へと送信し、通知９２としてコンテクストメモリ８２に保存することができる。これらの能力を、既存のメッセージの流れにおいてすでにｅＮｏｄｅＢへと知らされている無線端末の無線能力に、新たな情報として追加することができる。アクティブモードにおいて、ｅＮｏｄｅＢ２８−１が能力情報の知識を使用して、どの種類のハンドオーバ（ＨＯ）を実行すべきかを判断し、無線端末に２Ｇ／３Ｇの隣接セル情報がもたらされることを保証する。無線端末がインターリーブの無線端末である場合、ｅＮｏｄｅＢはまた、能力情報を使用して、ＬＴＥ／Ｅ−ＵＴＲＡＮに存在し得るＰＳトラフィックを、インターリーブｗｔが２Ｇおよび３Ｇ隣接セルの測定を続けることを可能にするパターンで計画する。
【００９６】
図１７は、アイドルモードの無線端末についての改善されたＣＳフォールバックの流れに関する例示的な行為、ステップ、または事象を示している。図１７の種々の行為が後述される。図１７の行為１として、無線端末は、ＬＴＥにおけるアタッチ手順またはトラッキングエリア更新（ＴＡＵ）手順を実行する。この行為において、ＵＥの能力（デュアル陣取り）が、モビリティマネジメントエンティティ（ＭＭＥ）へと転送され、このモビリティマネジメントエンティティ（ＭＭＥ）が、この情報をＵＥコンテクストに保持する。アイドルモードにおいて、無線端末はＬＴＥおよび２Ｇ（または、３Ｇ）上に並行して陣取る。アイドルモードにあるとき、ＵＥは、信号強度の測定およびネットワークによってもたらされるセル選択パラメータにもとづいて、陣取るべき適切なセルを選択する。
【００９７】
図１７の行為２のようなアイドルモードにおける着信呼において、モバイル交換センタ（ＭＳＣ）がサービングゲートウェイ（ＳＧ）のインターフェイスを介してモビリティマネジメントエンティティ（ＭＭＥ）へと呼び出しメッセージを送信し、ＭＭＥが呼び出しを無線端末へと転送し、ＭＭＥがＣＳ呼を呼び出していることを知らせる。
【００９８】
図１７の行為３ａとして、無線端末は、拡張サービス要求（回線交換（ＣＳ）の呼の確立を希望する旨を知らせる）を送信する。図１７の行為３ｂとして、ＭＭＥは、回線交換フォールバック（ＣＳＦＢ）が生じる旨を知らせるためにｅＮｏｄｅＢへとＳ１−ＡＰメッセージを送信し、ｅＮｏｄｅＢにＵＥコンテクストを確立する。この行為において、ＵＥの能力がｅＮｏｄｅＢへと転送される。
【００９９】
無線端末がそれまではアイドルモードであり、ｅＮｏｄｅＢがＵＥの能力を承知しているため、ｅＮｏｄｅＢは、測定を要求する必要がない（無線端末がすでに適切な２Ｇまたは３Ｇセルを知っている）と判断できることを承知している。したがって、ｅＮｏｄｅＢ（特に、ネットワーク移行コントローラ９６）が、例えば図１７の行為４によって示されているとおりのＲＲＣ接続解放またはセル変更オーダ（ＣＣＯ）など、考えられる最も単純なネットワーク移行またはハンドオーバ機構を使用することを決定することができる。ＲＲＣ接続解放またはセル変更オーダ（ＣＣＯ）は、無線端末が被呼の回線交換（ＣＳ）を確立することを可能にする。制御されたやり方でロングタームエボリューション（ＬＴＥ）から離れることによって、無線端末は、新たなアクセス上で回線交換（ＣＳ）の呼を開始することができる。
【０１００】
図１７の行為５のようなＲＲＣ接続解放またはＣＣＯの受信において、無線端末は、呼び出しへの応答の送信または呼の確立のために自身の２Ｇまたは３Ｇを使用する。無線端末がすでに２Ｇまたは３Ｇセル上に「陣取って」いるため、測定、チューニング、またはシステム情報の読み出しのための遅延が存在しない。
【０１０１】
残りのあらゆるリソースは、図１７の行為６によって示されるようにＬＴＥ／Ｅ−ＵＴＲＡＮに解放される。２Ｇまたは３Ｇセルが異なるルーティングエリア（ＲＡ）またはロケーションエリア（ＬＡ）に属する場合、無線端末はまた、ルーティングエリア更新（ＲＡＵ）手順および／またはロケーションエリア更新（ＬＡＵ）手順をも実行しなければならないことがある。
【０１０２】
図１８は、アクティブなロングタームエボリューション（ＬＴＥ）パケット交換セッションを有している無線端末についての改善された回線交換フォールバック（ＣＳＦＢ）の流れを示している。図１８の種々の行為が後述される。図１８の行為１として、無線端末は、ＬＴＥにおけるアタッチ手順またはトラッキングエリア更新（ＴＡＵ）手順を実行する。このステップにおいて、ＵＥの能力（デュアル陣取り）が、モビリティマネジメントエンティティ（ＭＭＥ）へと転送され、モビリティマネジメントエンティティ（ＭＭＥ）が、この情報をＵＥコンテクストに保持する。アイドルモードにおいて、無線端末はＬＴＥおよび２Ｇ（または、３Ｇ）上に並行して陣取る。
【０１０３】
図１８の行為２として、パケット交換セッションが確立される。この行為の際に、パケット交換ベアラが確立され、ｅＮｏｄｅＢにＵＥの能力情報がもたらされる。「デュアル陣取り」というＵＥの能力にもとづき、ｅＮｏｄｅＢが、どこで２Ｇ／３Ｇ無線が適切なセルを探すべきかを無線端末に知らせるために、無線端末に隣接セル情報をもたらす。無線端末がインターリーブの無線端末である場合、ｅＮｏｄｅＢはまた、２Ｇ／３Ｇセルの並行な測定を可能にするために、ベアラにおいてＰＳトラフィックをも計画する。
【０１０４】
図１８の行為３のようなアイドルモードにおける着信呼において、モバイル交換センタ（ＭＳＣ）がサービングゲートウェイ（ＳＧ）のインターフェイスを介してモビリティマネジメントエンティティ（ＭＭＥ）へと呼び出しメッセージを送信し、モビリティマネジメントエンティティ（ＭＭＥ）が呼び出しを無線端末へと転送し、それが回線交換（ＣＳ）の呼の呼び出しであることを知らせる。
【０１０５】
図１８の行為４として、無線端末は、拡張サービス要求（無線端末が回線交換（ＣＳ）の呼の確立を希望する旨を知らせる）を送信する。モビリティマネジメントエンティティ（ＭＭＥ）が、ｅＮｏｄｅＢのＵＥコンテクストを修正する。
【０１０６】
無線端末がアクティブモードにあり、ｅＮｏｄｅＢがＵＥの能力を承知しているため、ｅＮｏｄｅＢは、サポートされているときにパケット交換ハンドオーバ（ＨＯ）を使用することができる（ＰＳの中断を最小限にするために）。無線端末が２Ｇ（または、３Ｇ）セルにすでに「陣取って」いるため、ｅＮｏｄｅＢが測定を求め、無線端末が、自身が「陣取って」いる２Ｇ／３Ｇセルで速やかに応える。測定のための遅延が存在しせず（選択されたセルをｅＮｏｄｅＢに報告するだけである）、チューニングまたはシステム情報の読み出しのための遅延も存在しない。パケット交換ハンドオーバ（ＨＯ）がサポートされておらず、あるいはパケット交換セッションにおいてより長い中断が容認できる場合には、ｅＮｏｄｅＢはまた、無線端末を選択されたセルへと移動させるためにＲＲＣ接続のリダイレクションまたはＣＣＯ機構をも使用してもよい。図１８の行為５を参照されたい。理想的な場合のように、これらのより単純な機構が使用される場合、回線交換（ＣＳ）の呼の確立について遅延の不利益は存在しない。
【０１０７】
図１８の行為６のようなＨＯ指令、ＲＲＣ接続解放、またはセル変更オーダ（ＣＣＯ）の受信において、無線端末は、呼び出し応答の送信または呼の確立のために自身の２Ｇまたは３Ｇのスタックを使用する。
【０１０８】
図１８の行為７として、残りのあらゆるリソースがＬＴＥ／Ｅ−ＵＴＲＡＮに解放される。選択されたセルがＤＴＭのない２Ｇセルの場合、無線端末は、サスペンド手順を開始し得る（図１８の行為８ａ）。無線端末はまた、ＲＡＵおよび／またはＬＡＵをも実行しなければならないことがある。
【０１０９】
図１７および図１８は、デュアル陣取りのＵＥについて既存の情報の流れを変更することによって回線交換フォールバック（ＣＳＦＢ）をどのように向上させることができるのかを説明している。同様の最適化を、回線交換フォールバック（ＣＳＦＢ）ももとづく「ＬＴＥでのＧＳＭ音声のインターリーブ」の技術的解決策についても行なうことができる。通常のＣＳフォールバックの事例と比べた主たる相違は、無線端末が、ＬＴＥに上で進行中のパケット交換セッションを２Ｇ上の回線交換（ＣＳ）の呼と並行に維持することができる点にある。ｅＮｏｄｅＢが、パケット交換のトラフィックを、ＧＳＭ  ＴＤＭＡ構造において音声の送信および受信を無線端末にとって可能にするパターンに計画する。無線端末は、無線の時間多重化の可能性がないため、３Ｇ／ＷＣＤＭＡとＬＴＥの両方における同時接続を維持することができない。無線端末は、パケット交換セッションのためにＬＴＥ上に陣取っているときに、２Ｇセルを優先させるができる。適切な２Ｇセルが存在しない場合、無線端末は、回線交換（ＣＳ）とパケット交換（ＰＳ）の両方について３Ｇ上に陣取ること、あるいは回線交換（ＣＳ）およびパケット交換の呼を行なう場合または回線交換（ＣＳ）の呼を受信する場合に、パケット交換についてＬＴＥ上に陣取り、回線交換フォールバック（ＣＳＦＢ）を実行することのいずれかを決定することができる。
【０１１０】
これらの手順をサポートするために、無線端末はＧＳＭ／ＬＴＥのインターリーブ能力をサポートする必要があり、ｅＮｏｄｅＢは、無線端末がＴＤＭＡ構造においてＧＳＭで通信することを可能にするパターンでＬＴＥデータを計画できなければならない。
【０１１１】
図１９は、２Ｇ上における回線交換（ＣＳ）およびＬＴＥ上におけるパケット交換を並行にサポートするアイドルモードの無線端末の改善された流れを示している。図１９の種々の行為が後述される。
【０１１２】
図１９の行為１として、無線端末は、ＬＴＥ上におけるアタッチ手順またはＴＡＵ手順を実行する。このステップにおいて、ＵＥの能力（インターリーブのＵＥ）がＭＭＥへと転送され、ＭＭＥがこの情報をＵＥコンテクストに保持する。アイドルモードにおいて、無線端末はＬＴＥ上に陣取り、好ましくは２Ｇ上に陣取る。２Ｇセルが利用可能でない場合、無線端末は、ＬＴＥに並行して３Ｇ上に陣取ることがあり、その場合には上述の回線交換フォールバック（ＣＳＦＢ）の手順が当てはまる。そうでない場合、無線端末はＣＳおよびＰＳの両方のために３Ｇ上に陣取ることがある。
【０１１３】
アイドルモードでの着信呼において、図１９の行為２のとおり、ＭＳＣがＳＧのインターフェイスを介してＭＭＥへと呼び出しメッセージを送信し、ＭＭＥが呼び出しを無線端末へと転送し、それがＣＳの呼の呼び出しであることを知らせる。
【０１１４】
図１９の行為３として、無線端末は、拡張サービス要求（ＣＳの呼の確立を希望する旨を知らせる）を送信する。ＭＭＥがｅＮｏｄｅＢにＵＥコンテクストを確立する。このステップにおいて、ＵＥの能力がｅＮｏｄｅＢへと転送される。
【０１１５】
無線端末がそれまではアイドルモードであり、ｅＮｏｄｅＢがＵＥの能力を承知しているため、無線端末は、測定を要求する必要がない（無線端末がすでに適切な２Ｇセルを知っている）と判断することができる。図１０の行為４によって示されるとおり、ｅＮｏｄｅＢが、ＧＳＭ上の回線交換（ＣＳ）側を起動させるように無線端末に指示するために、新たなメッセージ「Ａｃｃｅｓｓ  ＣＳ  ｏｎ  ２Ｇ」を使用することができる。
【０１１６】
「ａｃｃｅｓｓ  ＣＳ  ｏｎ  ２Ｇ」メッセージの受信において、図１９の行為５のように、無線端末は呼び出し応答の送信または呼の確立のために自身の２Ｇ無線を使用する。無線端末がすでに２Ｇセル上に「陣取って」いるため、測定、チューニング、またはシステム情報の読み出しのための遅延が存在しない。ＣＳの呼と並行に、無線端末はロングタームエボリューション（ＬＴＥ）上に陣取り続け、任意の段階でパケット交換（ＰＳ）セッションを並行して開始することができる。そのような場合、ｅＮｏｄｅＢが、無線端末がＧＳＭ  ＴＤＭＡ構造において回線交換（ＣＳ）の音声を送信および受信できるようにするパターンでトラフィックを計画する。
【０１１７】
図２０に、２Ｇ上における回線交換（ＣＳ）およびＬＴＥ上におけるＰＳを並行にサポートするアクティブな無線端末についての改善された流れを示している。図２０の種々の行為が後述される。
【０１１８】
図２０の行為１として、無線端末は、ロングタームエボリューション（ＬＴＥ）上におけるアタッチ手順またはＴＡＵ手順を実行する。このステップにおいて、ＵＥの能力（インターリーブのＵＥ）がＭＭＥへと転送され、ＭＭＥがこの情報をＵＥコンテクストに保持する。アイドルモードにおいて、無線端末はＬＴＥ上に陣取り、好ましくは２Ｇ上に陣取っている。２Ｇセルが利用可能でない場合、無線端末は、ＬＴＥと並行に３Ｇ上に陣取ることがあり、その場合には上述のＣＳＦＢ手順が当てはまる。そうでない場合、無線端末は、回線交換（ＣＳ）とパケット交換（ＰＳ）の両方のために３Ｇ上に陣取ることがある。
【０１１９】
図２０の行為１として、パケット交換（ＰＳ）セッションが確立される。このステップ中に、パケット交換（ＰＳ）ベアラが確立され、ｅＮｏｄｅＢにＵＥの能力情報がもたらされる。「インターリーブ」というＵＥの能力にもとづき、ｅＮｏｄｅＢが、どこで２Ｇ無線が適切なセルを探すべきかを無線端末に知らせるために、無線端末に隣接セル情報をもたらす。ｅＮｏｄｅＢは、２Ｇセル上で並行な測定を可能にするようにベアラにおいてＰＳトラフィックを計画する。
【０１２０】
アイドルモードにおける着信呼において、図２０の行為３のように、モバイル交換センタ（ＭＳＣ）がＳＧのインターフェイスを介してモビリティマネジメントエンティティ（ＭＭＥ）へと呼び出しメッセージを送信し、ＭＭＥが呼び出しを無線端末へと転送して、それが回線交換（ＣＳ）の呼の呼び出しであることを知らせる。
【０１２１】
図２０の行為４として、無線端末は、拡張サービス要求（回線交換（ＣＳ）の呼の確立を希望する旨を知らせる）を送信する。ＭＭＥが、ｅＮｏｄｅＢのＵＥコンテクストを修正する。
【０１２２】
無線端末がアクティブモードにあり、ｅＮｏｄｅＢがＵＥの能力を承知しているため、図２０の行為５のように、ｅＮｏｄｅＢが、ＧＳＭ上において回線交換（ＣＳ）側を起動させるように無線端末に指示するために、新たなメッセージ「Ａｃｃｅｓｓ  ＣＳ  ｏｎ  ２Ｇ」を使用することができる。測定、チューニング、またはシステム情報の読み出しのための遅延が存在しない。
【０１２３】
「Ａｃｃｅｓｓ  ＣＳ  ｏｎ  ２Ｇ」の受信において、図２０の行為６のように、無線端末は、呼の確立のために呼び出し応答またはサービス要求を送信するために自身の２Ｇスタックを使用する。回線交換（ＣＳ）の呼に並行して、無線端末はＬＴＥ上におけるパケット交換（ＰＳ）セッションを維持する。ｅＮｏｄｅＢが、無線端末がＧＳＭ  ＴＤＭＡ構造において回線交換（ＣＳ）の音声を送信および受信できるようなパターンでトラフィックを計画する。
【０１２４】
本明細書に提案される改善は、回線交換（ＣＳ）フォールバック［３ＧＰＰ  ＴＳ２３．２７２］の呼設定時間の改善にも使用することができる。
【０１２５】
上述の機能、事象、ステップ、または行為を、ネットワークノードまたは他の装置に含まれるユニットによって実装でき、それらはコンピュータによって実装されても、本明細書において広く定義されるとおりのプロセッサまたはコントローラによって実行されてもよい。
【０１２６】
本明細書に開示の技術は、「デュアル陣取り能力」を有する無線端末（ユーザ装置ユニット（ＵＥ））のためのＣＳの呼の確立の最適化に関する。これらの最適化は、通常のＣＳフォールバック（３ＧＰＰ  ＴＳ２３．２７２）とＧＳＭ／ＬＴＥのインターリーブのソリューション（無線端末がデータのためのＬＴＥと音声のためのＧＳＭの両方を使用することができる）の両方について同様である。
【０１２７】
本明細書に開示の技術は、ＣＳＦＢのアーキテクチャおよび原理が使用されるという仮定のもとに構築されているため、課題および解決策が、既存のＣＳフォールバックのソリューションならびに「ＬＴＥでのＧＳＭ音声のインターリーブ」のためのＣＳＦＢベースのアーキテクチャに共通である。
【０１２８】
本明細書に開示の技術について、多数の利点が存在する。例えば、本明細書に開示の技術は、ＣＳフォールバックのアーキテクチャ原理がＣＮソリューションのために使用される場合に、ＣＳフォールバックのユーザ装置ユニット（ＵＥ）のＣＳ呼設定遅延の短縮ならびにＧＳＭ／ＬＴＥインターリーブのユーザ装置ユニット（ＵＥ）のＣＳ呼設定遅延の短縮を促進する。
【０１２９】
以上の説明は多数の具体的詳細を含んでいるが、それらを本発明の技術的範囲を限定するものとして解釈してはならず、本発明の現時点における好ましい実施形態のいくつかの例示を提供しているにすぎないと解釈すべきである。したがって、本発明の技術的範囲が、当業者にとって自明となり得る他の実施形態を完全に包含し、したがって本発明の技術的範囲が過度に限定されることを理解できるであろう。単数形での要素への言及は、特に明示されない限りは「ただ１つ」を意味するのではなく、むしろ「１つまたは複数」を意味する。上述した好ましい実施形態の構成要素についての当業者に知られているすべての構造的、化学的、および機能的な均等物が、明示的に組み込まれ本発明の技術的範囲に包含される。さらに、装置または方法は、必ずしも本発明が解決しようとする課題のすべてに対処していなくても、本発明の技術的範囲に包含される。
【図１】
2013514704.tif 000003
【図２】
2013514704.tif 000004
【図３】
2013514704.tif 000005
【図４】
2013514704.tif 000006
【図５】
2013514704.tif 000007
【図６】
2013514704.tif 000008
【図７】
2013514704.tif 000009
【図８】
2013514704.tif 000010
【図９】
2013514704.tif 000011
【図１０】
2013514704.tif 000012
【図１１】
2013514704.tif 000013
【図１２】
2013514704.tif 000014
【図１３】
2013514704.tif 000015
【図１４】
2013514704.tif 000016
【図１５】
2013514704.tif 000017
【図１６】
2013514704.tif 000018
【図１７】
2013514704.tif 000019
【図１８】
2013514704.tif 000020
【図１９】
2013514704.tif 000021
【図２０】
2013514704.tif 000022
【国際調査報告】
2013514704.tif 000023
2013514704.tif 000024